(57)【要約】【課題】  中間棚を折り畳み可能にするとともに、展張時にヒンジ部が出っ張って物品などを引っ掛けるおそれのない折り畳み中間棚を提供する。また天板等を有する台車類であっても上に折り畳みことにより、中間棚よりも高い物品を積むことができるようになる。【解決手段】  物流台車類の、枠で囲まれた収納空所に配置する中間棚であって、収納空所１９の床から中間棚３０までの高さを越える大きさの物品を積載するために、中間棚３０を複数部材３１、３２に分割するとともに、複数部材３１、３２をヒンジ結合することにより折り畳み可能とし、複数部材３１、３２を結合するヒンジとして、複数部材３１、３２の結合端部に夫々固定された、端部の厚さに収まる直径を有する軸受３３、３４と、一方の部材３１を他方の部材３２の上面に重ねて折り畳むために、一方の部材３１が他方の部材３２の上面に重なる位置関係にあるときに、両軸受３３、３４を結合するほぼ二股型の軸３５、３６とを有して構成された折り畳み中間棚。【選択図】          図３
2006111237.tif 000002
【特許請求の範囲】
【請求項１】
物流台車類の枠で囲まれた収納空所に配置する中間棚であって、収納空所の床から中間棚までの高さを越える大きさの物品を積載するために、中間棚を複数部材に分割するとともに、複数部材をヒンジ結合することにより折り畳み可能とし、複数部材を結合するヒンジとして、複数部材の結合端部に夫々固定された、端部の厚さに収まる直径を有する軸受
と、一方の部材を他方の部材の上面に重ねて折り畳むために、一方の部材が他方の部材の上面に重なる位置関係にあるときに、両軸受を結合するほぼ二股型の軸とを有して構成された物流台車類における折り畳み中間棚。
【請求項２】
ヒンジ部の軸は、複数部材をヒンジ結合しているヒンジ部の１箇所に付き１個設けられている請求項１記載の物流台車類における折り畳み中間棚。
【請求項３】
２箇所のヒンジ部の軸が、軸方向と平行な連絡軸によって一体に設けられている請求項１又は２記載の物流台車類における折り畳み中間棚。
【発明の詳細な説明】
【技術分野】
【０００１】
本発明は、物流台車類の枠で囲まれた収納空所に設ける折り畳み中間棚に関するものである。
【背景技術】
【０００２】
物流台車或いは荷物保管什器などと称されるものには、１枚以上の中間棚が付属しており、収納空所を区画して効率的に物品を収納することができるようになっている。例えば実用新案登録第３０８９６２０号に記載されている中間棚は、ケージ奥にヒンジ機構を介して回動可能に取り付けられるようになっている。しかしその中間棚のような構成では、跳ね上げたときに背が高くなり過ぎると、運送や保管の邪魔になるという問題がある。また天板を有する物流台車類の場合には、寸法上の制約から跳ね上げる構成を取れないことがある。
【０００３】
また中間棚よりも背の高い品物を積む場合、中間棚が邪魔になることがある。これに対して中間棚を折り畳み式にすることが考えられるが、下へ折り曲げる方式では折り曲げた棚部材がぶら下がらないように二つ折り状態で止めなければならないから、上へ折り畳む方式とすることが望まれる。ところが上へ折り畳む方式では、折り畳みヒンジの軸部分が棚表面に出っ張ることになり、棚に物品を載せるときに引っ掛かるおそれがあるという問題を生じる。しかし、現行の蝶番金具を使用する限り、棚表面に突出する構成を避けることはできない。
【０００４】
【特許文献１】実用新案登録第３０８９６２０号
【発明の開示】
【発明が解決しようとする課題】
【０００５】
本発明は前記の点に着目してなされたものであり、その課題は、中間棚を折り畳み可能にするとともに、展張時にヒンジ部が出っ張って物品などを引っ掛けるおそれのない折り畳み中間棚を提供することである。また本発明の他の課題は、天板等を有する台車類であっても上へ折り畳んで、中間棚よりも高い物品を容易に積むことができるようにする点にある。
【課題を解決するための手段】
【０００６】
前記の課題を解決するため本発明は、物流台車類の枠で囲まれた収納空所に配置する中間棚について、収納空所の床から中間棚までの高さを越える大きさの物品を積載するために、中間棚を複数部材に分割するとともに、複数部材をヒンジ結合することにより折り畳み可能とし、複数部材を結合するヒンジとして、複数部材の結合端部に夫々固定された、端部の厚さに収まる直径を有する軸受と、一方の部材を他方の部材の上面に重ねて折り畳むために、一方の部材が他方の部材の上面に重なる位置関係にあるときに、両軸受を結合するほぼ二股型の軸とを有して構成するという手段を講じたものである。
【０００７】
本発明に係る折り畳み中間棚は、床板と背面及び左右両側面の板又は枠で囲まれた収納空所を上下に区画して効率的な荷積みを可能とするもので、上に折り畳む構造を有するものである。なお、本発明において上に折り畳む、とは、展張時に物品を載せる上面と上面が重ねられるように折り畳むものを指す。故に本発明の中間棚は、複数部材に分割され、それらを上に折り畳むためにヒンジ結合されたものである。
【０００８】
中間棚を構成する複数部材を折り畳み可能にヒンジ結合するために、まず、複数部材の結合端部に、軸受を固定する。軸受はその端部の部材厚さに収まる直径を有する。軸受の寸法を複数部材の端部の厚さ以下とすることにより、まず、軸受が中間棚より出っ張らない条件を確保し、かつまたこの条件を外れないように軸受を複数部材の端部に固定するものである。この軸受は、複数部材の結合端部に夫々固定され、夫々の軸受の軸穴に、二股型の軸が夫々嵌め込まれる２軸式のヒンジを構成している。
【０００９】
このヒンジ部の軸は、複数部材の内の一方の部材が他方の部材の上面に重なる前記の位置関係にあるときに、両軸受を結合する間隔だけ離れた二股型の軸の構成を取る。軸を二股型の構成とすることにより必要な軸間隔を保護し、一方の部材の表面を他方の部材の表面に接して折り畳むことを可能にするものである。ヒンジ部の軸は、複数部材をヒンジ結合しているヒンジ部の１箇所につき１個設けることができ、この場合、１個のヒンジ部の軸には２個の軸が備わることになるので、このようなヒンジ部の軸自体は全体としてコ字型ないしはＵ字型の二股形状となる。
【００１０】
中間棚を分割した複数部材は、複数箇所のヒンジ部にて結合されることになり、その場合に各ヒンジ部はコ字型ないしはＵ字型などの軸で個々に結合されているだけであるか
ら、各ヒンジ部では独立的な動きを取り得るので、スムーズに動作しない場合がある。そこで、２箇所の隣接するヒンジ部の２個の軸が同一の位置関係を取り、別々の動きをしないように、２個の軸を軸方向と平行な連絡軸によって予め一体に固定しておくとスムーズな動作を得ることができる。
【発明の効果】
【００１１】
本発明は以上の如く構成されかつ作用するものであるから、折り畳み可能な中間棚を提供することができるとともに、展張時にヒンジ部が出っ張らずに中間棚の上面が平滑に保たれているから、物品などを引っ掛けるおそれがなく、また天板を有する台車類であっても折り畳みを支障なく行うことができ、中間棚よりも高い品物を難なく積むことができ、さらに、物品の積みおろし作業を円滑化することができるという効果を奏する。
【発明を実施するための最良の形態】
【００１２】
以下図面を参照して本発明を詳細に説明する。図１はいわゆる物流台車１０の正面図、図２は同じく右側面図を示しており、例示の物流台車１０は、上下左右の４部分から成る正面の開閉扉１１、１２、１３、１４と、左右各１枚の側面枠１５、１６と、背面枠１７とを有し、左右の側面枠１５、１６及び背面枠１７は床板１８に取り付けられ、開閉扉
１１、１２、１３、１４は左右の側面枠１５、１６の枠部に扉蝶番２１、２２、２３、２４によって開閉可能に取り付けられている。なお、左右の側面枠１５、１６は背面枠１７に枠蝶番２５によって結合されており、背面枠１７の前側に折り畳むことができるようになっている。２６は車輪を示す。
【００１３】
このような物流台車１０には、正面の開閉扉１１、１２、１３、１４、左右の側面枠
１５、１６、背面枠１７によって囲まれた収納空所１９に設置する中間棚３０が備わっている。中間棚３０は前後２部材３１、３２に分割するとともに、前後２部材３１、３２をヒンジ結合することにより上に折り畳み可能としたもので、ヒンジは、前後２部材３１、３２の結合端部の厚さよりも小径の外径を有する軸受３３、３４と、前部材３１を後部材３２の上面に重ねて折り畳むことを可能にするために必要な軸間隔を保持した二股型の２個の軸３５、３６とを有し、さらに２個の軸３５、３６をその軸方向と平行な連結軸３７の端部に、溶接等の手段によって一体化した構成を有している。図５中、３８は溶接痕を示す。また、２個の軸受３３、３４と二股型の２個の軸３５、３６とはヒンジ部３９を構成している。
【００１４】
故に、前後２部材３１、３２の結合端部間には、そこに並列して設置される２個の軸受３３、３４の幅分の間隔を生じるが、図６によって明らかなように中間棚３０の上面にヒンジ部３９が出っ張ることはなく、物品などが引っ掛かるおそれは部材３１、３２の角による極く軽微なものとなる。なお、ヒンジ部３９の軸３５、３６は前後２部材３１、３２をヒンジ結合しているヒンジ部３９の１箇所に付き１個設けられているものを連絡軸３７によって一体に結合したものであり、二股型の軸３５、３６を夫々外向きとすることにより、一旦組み立てた後に二股型の軸３５、３６が連絡軸３７で支えられ外れるおそれはなくなるので、ストッパーや外れ止めの類は不必要となる。但し、連絡軸３７を使用せず、二股型の軸３５、３６をコ字型又はＵ字型に形成しただけの場合には、軸受３３、３４の先から出る軸端に外れ止めのワッシャなどを取り付ける必要がある。
【００１５】
このような中間棚３０は、後端に左右側方へ突き出るように設けた、取り付け軸４１、４２によって、背面枠１７に取り付けられている部材４３、４４の軸受溝４５に、回転可能に軸支される。また、この軸支高さに合わせて側面枠１５、１６に前後方向の支持部材４７、４８が設けてあり（図３及び図４）、これらの支持部材４７、４８に上から掛け止めるように、予め中間棚３０の左右両側に設けられている掛止部４９によって、中間棚３０に載せた物品の荷重が支えられる。
【００１６】
本発明における中間棚３０は、物流台車１０に取り付けた状態では、前後左右の枠１１〜１７で囲まれた収納空所１９の全体に及ぶ広さを有し、内部を上下に仕切って効率の良い物品の収納を可能にするものであり、床板１８からの長さが中間棚３０までの高さを越える長尺物品等を積載する場合には、前部材３１を後部材３２の上に折り畳んでそのような長尺物品等を積載するための空間を確保することができるものである（図７参照）。これによって一般物品と長尺物品等との混載が可能となる。また、二つに折り畳んだ中間棚３０は、後端の取り付け軸４１、４２を中心として跳ね上げ、収納空所１９から完全に退避した状態では、左右の側面枠１５、１６を正面の開閉扉１１、１２、１３、１４とともに背面枠１７の前側に折り畳むことができる。
【図面の簡単な説明】
【００１７】
【図１】本発明に係る物流台車類における折り畳み中間棚の１実施例を示す正面図。
【図２】同上のものの右側面図。
【図３】同上の中間棚を示す平面図。
【図４】中間棚の角部拡大図。
【図５】中間棚のヒンジ部拡大図。
【図６】図の部分の側面図。
【図７】中間棚の折り畳み状態を示す側面図。
【符号の説明】
【００１８】
１０  物流台車
１１、１２、１３、１４  正面の開閉扉
１５、１６  側面枠
１７  背面枠
１８  床板
１９  収納空所
２１、２２、２３、２４  扉蝶番
３０  中間棚
３１、３２  前後２部材
３３、３４  軸受
３５、３６  ２個の軸
３７  連絡軸
３９  ヒンジ部
４１、４２  取り付け軸
４３、４４  取り付け部材
４５  軸受溝
４７、４８  支持部材
４９  掛止部
【図１】
2006111237.tif 000003
【図２】
2006111237.tif 000004
【図３】
2006111237.tif 000005
【図４】
2006111237.tif 000006
【図５】
2006111237.tif 000007
【図６】
2006111237.tif 000008
【図７】
2006111237.tif 000009